(57)【要約】【課題】中空複層体とＬＥＤを用いて、薄型、省電力、軽量、且つ安価な面発光装置付き家具を提供する。【解決手段】複数の中空セル（１１１）から構成される中空複層体（１０、２０、３０）、中空複層体の側面から光を入射するための光源（１２、１４、２２、２４、３２、３４）、中空複層体の側面から入射された光を中空複層体の表面から出射させるための光偏向手段（１０２、１１２）を有する面発光装置と、面発光装置を支持するための支持体（６０）を有することを特徴とする面発光装置付き家具（１）。【選択図】図２
2007123109.tif 000002
【特許請求の範囲】
【請求項１】
複数の中空セルから構成される中空複層体、前記中空複層体の側面から光を入射する光源、前記中空複層体の側面から入射された光を前記中空複層体の表面から出射させるための光偏向手段を有する面発光装置と、
前記面発光装置を支持する支持体と
を有することを特徴とする面発光装置付き家具。
【請求項２】
前記光偏向手段は、前記中空複層体の表面に設けられたランダムな凹凸形状である、請求項１に記載の面発光装置付き家具。
【請求項３】
前記光偏向手段は、前記中空複層体の表面に設けられたドット形状、Ｖ字状又はＵ字状の溝である、請求項１に記載の面発光装置付き家具。
【請求項４】
前記光偏向手段は、前記中空複層体に添加された拡散材である、請求項１に記載の面発光装置付き家具。
【請求項５】
前記光偏向手段は、前記中空セル内に挿入された導光体である、請求項１に記載の面発光装置付き家具。
【請求項６】
前記導光体は、その表面にランダムな凹凸形状が形成されている、請求項５に記載の面発光装置付き家具。
【請求項７】
前記導光体は、ドット形状、Ｖ字状又はＵ字状の溝である、請求項５に記載の面発光装置付き家具。
【請求項８】
前記導光体には、拡散材が添加されている、請求項５に記載の面発光装置付き家具。
【請求項９】
前記光偏向手段は、前記中空セル内に挿入された光拡散材である、請求項１に記載の面発光装置付き家具。
【請求項１０】
複数の中空セルから構成される中空複層体、前記中空複層体の側面から光を入射する光源、前記中空複層体の側面から入射された光を前記中空複層体の表面から出射させるための光偏向手段を有する第１の面発光装置と、
複数の中空セルから構成される中空複層体を有する第２の面発光装置と、
前記光源から前記第１の面発光装置に入射した光を前記第２の面発光装置に入射させる光接続部と、
前記第１及び第２の面発光装置を支持する支持体と
を有することを特徴とする面発光装置付き家具。
【発明の詳細な説明】
【技術分野】
【０００１】
本発明は、面発光装置付き家具に関し、特に中空複層体を用いた面発光装置付き家具に関する。
【背景技術】
【０００２】
液晶ディスプレイ等のバックライトに用いられる面発光装置では、ネオン管等の線状光源からの光を平板状の導光板を用いて拡散させることによって面発光照明を実現している（例えば、特許文献１）。
【０００３】
また、比較的安価なＬＥＤを基板上に等間隔で複数配置し、看板等を裏側から直接照明するための面発光照明装置として利用しようとすることも知られている。
【０００４】
なお、紙製のダンボール等の代わりに用いられる合成樹脂から製造された中空構造体が知られている（例えば、特許文献２）。
【特許文献１】特開平１１−２３７６２９号公報
【特許文献２】特開平８−７２１３７号公報
【発明の開示】
【発明が解決しようとする課題】
【０００５】
しかしながら、複数の中空セルを有する中空複層体を用いて、ディスプレイや建物内の照明に用いるための面発光装置を構成しようとすることは知られていなかった。
【０００６】
そこで、本発明は、中空複層体を用いた面発光装置付き家具を提供することを目的とする。
【０００７】
また、本発明は、中空複層体とＬＥＤを用いて、薄型、省電力、軽量、且つ安価な面発光装置付き家具を提供することを目的とする。
【課題を解決するための手段】
【０００８】
上記課題を解決するために、本願発明に係る面発光装置付き家具は、複数の中空セルから構成される中空複層体、中空複層体の側面から光を入射するための光源、中空複層体の側面から入射された光を中空複層体の表面から出射させるための光偏向手段を有する面発光装置と、面発光装置を支持するための支持体を有することを特徴とする。
【０００９】
さらに、本発明に係る面発光装置付き家具では、光偏向手段は、中空複層体の表面に設けられたランダムな凹凸形状、ドット形状、Ｖ字状の溝又はＵ字状の溝であることが好ましい。
【００１０】
さらに、本発明に係る面発光装置付き家具では、光偏向手段は、中空複層体に添加された拡散材であることが好ましい。
【００１１】
さらに、本発明に係る面発光装置付き家具では、光偏向手段は、中空セル内に挿入された導光体であることが好ましく、導光体にはその表面にランダムな凹凸形状、ドット形状、Ｖ字状の溝又はＵ字状の溝が形成されていること又は拡散材が添加されていることが好ましい。
【００１２】
さらに、本発明に係る面発光装置付き家具では、光偏向手段は、中空セル内に挿入された光拡散材であることが好ましい。
【００１３】
さらに、本発明に係る面発光装置付き家具では、光源は複数のＬＥＤから構成されることが好ましく、各ＬＥＤがそれぞれ中空セル内に配置されることが好ましい。
【００１４】
上記課題を解決するために、本願発明に係る面発光装置付き家具は、複数の中空セルから構成される中空複層体、中空複層体の側面から光を入射する光源、中空複層体の側面から入射された光を前記中空複層体の表面から出射させるための光偏向手段を有する第１の面発光装置と、複数の中空セルから構成される中空複層体を有する第２の面発光装置と、光源から第１の面発光装置に入射した光を第２の面発光装置に入射させる光接続部と、第１及び第２の面発光装置を支持する支持体を有することを特徴とする。複数の面発光装置を１つの光源によって発光させるように構成したので、光源の個数の低減や光源のための配線を無くすことが可能となった。
【発明の効果】
【００１５】
本発明によれば、中空複層体の側面からの光によって面発光照明を行うことから、薄型、省電力、軽量、且つ安価な面発光装置を備える家具を提供することが可能となった。
【発明を実施するための最良の形態】
【００１６】
以下、本発明に係る面発光装置付き家具を図面を参照しながら説明する。
【００１７】
図１は、本発明に係る面発光装置付き家具として構成した面発光装置付き椅子１の斜視図である。また、図２は、図１におけるＡＡ´断面図である。
【００１８】
図１及び２に示すように、面発光装置付き椅子１は、面発光する第１中空複層体１０、面発光する第２中空複層体２０、面発光する第３中空複層体３０、透明なポリカーボネイトから構成されたコの字状の保護プレート４０、基部５０、アルミ板から構成された支持体６０、端部保護プレート８０等から構成される。面発光装置付き椅子１では、第２中空複層体２０の上の保護プレート４０上に、ユーザが腰を降ろせるような強度を有するように設計されている。なお、支持体６０は、アルミ板以外にもＳＵＳ板等によって構成することもできる。
【００１９】
中空複層体１０は支持体６０によって支持され、保護プレート４０と端部保護プレート８０との間に位置決めされている。また、中空複層体１０の下部には第１回路基板１１及び第１のＬＥＤ群１２が配置され、中空複層体１０の上部には第２回路基板１３及び第２のＬＥＤ群１４が配置され、中空複層体１０の発光面側（保護プレート側）にはカラーフィルタ１５が配置されている。カラーフィルタは、ＬＥＤからの発光色による混色だけでは、表現することができない色域の色を表現するために利用されるが、必ずしも利用する必要はない。なお、カラーフィルタを用いた場合、家具のデザイン性、意匠性の選択範囲を広げることができ、特に高級感を出すことが可能となる。
【００２０】
また、中空複層体２０は支持体６０によって支持され、保護プレート４０と端部保護プレート８０との間に位置決めされている。また、中空複層体２０の左側には第３回路基板２１及び第３のＬＥＤ群２２が配置され、中空複層体２０の右側には第４回路基板２３及び第４のＬＥＤ群２４が配置され、中空複層体２０の発光面側（保護プレート側）にはカラーフィルタ２５が配置されている。
【００２１】
さらに、中空複層体３０は支持体６０によって支持され、保護プレート４０と端部保護プレート８０との間に位置決めされている。また、中空複層体３０の上部には第５回路基板３１及び第５のＬＥＤ群３２が配置され、中空複層体３０の下部には第６回路基板３３及び第６のＬＥＤ群３４が配置され、中空複層体３０の発光面側（保護プレート側）にはカラーフィルタ３５が配置されている。
【００２２】
支持体６０は、アルミ板から構成されているので反射層としても機能するが、より光の利用効率を高めるためには、各中空複層体１０〜３０と支持体６０との間に、反射シートを配置することが好ましい。反射シート４３としては、可視光の反射率が５０％以上（より好ましくは８０％以上）である、ＰＥＴフィルムに酸化チタン等を含有させたシート、ＰＥＴフィルムにアルミニウムや銀等を蒸着させたシート、ＰＥＴを低発泡させた白色シート等を用いることができる。
【００２３】
第１、第２及び第３中空複層体１０、２０、３０から出射する光を均一化等したい場合には、各中空複層体と各カラーフィルタとの間に、拡散シートやレンズシートを配置することが好ましい。拡散シートとしては、ＰＣ樹脂及びＰＥＴ樹脂等の透明樹脂から構成されているものを用いることができ、レンズシート４１としては、ＢＥＦシート及びＤＢＥＦシート（共に３Ｍ社製）を用いることができる。
【００２４】
図３は、第２回路基板１３、第２のＬＥＤ群１４から構成される光源部の概略を示した図である。
【００２５】
第２回路基板１３上には、第２のＬＥＤ群１４が等間隔で配置されている。各ＬＥＤ１４は、Ｒ色ＬＥＤ素子７０、Ｇ色ＬＥＤ素子７１及びＢ色ＬＥＤ素子７２が一つにパッケージされた３ｉｎ１タイプのＬＥＤであって、入力信号によって、各素子からの光の混色によって複数の色の発光を行うことができる。なお、各ＬＥＤ１４は、Ｒ色の単色ＬＥＤ、Ｇ色の単色ＬＥＤ、Ｂ色の単色ＬＥＤ又はＷ（ホワイト）色の単色ＬＥＤであっても良い。第２のＬＥＤ群１４の各ＬＥＤは、制御部７４による制御タイミング及び指定色に従い、電源７３から供給される電流によって指定された色で発光する。なお、その他の回路基板及びＬＥＤ群も図３に示すものと同様であるので、詳細な説明は省略する。また、各光源部の電源７３及び制御部７４は、基部５０内に配置した。さらに、各光源部の電源及び制御部は個別に設けても、１つの要素が全ての光源部を担当するようにしても良い。
【００２６】
図４は、第１中空複層体１０を示す斜視図である。
【００２７】
中空積層体１０は、複数の中空セル１１１が、それらの長手方向に沿って一体化した構造を有している。具体的には、天板１１２、底板１１３及び複数のリブ１１４から構成されている。なお、第２及び第３中空複層体２０、３０も、図３に示す構成と同様な構成を有している。
【００２８】
第１中空複層体１０、中空セル１１１は、縦ａ３８０ｍｍ、横ｂ６ｍｍ、幅（高さ）ｃ６ｍｍに設定されおり、天板１１２、底板１１３及びリブ１１４は全て厚さ０．３３ｍｍの透明ポリカーネートによって構成されている。なお、上記の中空セルのサイズは一例であって、他の値を採用することもできる。また、中空複層体は、ＰＭＭＡ樹脂、ＭＳ樹脂、ＰＥＴ等のポリエステル樹脂、ＰＳｔ樹脂、ＣＯＰ樹脂、ＣＯＣ樹脂、ＰＰ樹脂やＰＥ樹脂当のオレフィン樹脂、ＰＶＣ樹脂、アイオノマー樹脂、ガラス等によって構成しても良い。
【００２９】
また、図４に示すように、第２のＬＥＤ群１４は、各中空セル１１１に挿入可能な形状をしており、図２に示すように、面発光装置付き椅子１として組み立てる際には、各ＬＥＤ１４を各中空セル１１１の側面から内部に挿入するようにして配置している。そういった意味で、中空セル１１１の横ｂ×幅ｃの大きさは、光源として利用するＬＥＤのパッケージの大きさが入る程度の大きさであることが好ましい。なお、色の演出によっては、各ＬＥＤを各中空セルに挿入しない様に配置しても良い。
【００３０】
また、第２のＬＥＤ群１４の各ＬＥＤから放射される光の中心が、各中空セル１１１の長手方向と平行になるように配置されていることが好ましく、各ＬＥＤから放射される光の中心が、各中空セル１１１空間の長手方向の中心線と一致するように配置されていることが更に好ましい。
【００３１】
次に、第１中空複層体１０の側面から中空セル１１１内に入射した光が、第１中空複層体１０の発光面側から出射するための光偏向手段について説明する。以下、第１中空複層体１０を用いて説明を行うが、第２及び第３中空複層体２０、３０についても同様である。
【００３２】
図２に示すように、例えば、第１のＬＥＤ群１２から放射した光１００の多くは、中空セル１１１の長手方向に沿って、中空セル１１１内を全反射しながら反対側に配置された第２のＬＥＤ群１４に向かって進んで行く（例えば、光１０１）。したがって、そのままでは第１中空複層体１０の発光面側から多くの光が出射することは望めない。そこで、中空複層体１０の発光側の表面（天板１１２上）全体に、中空セルの長手方向と垂直な方向Ｘに沿ってＶ字状の溝（深さ３μｍ、幅２０μｍ、ピッチ５ｍｍ〜５０μｍ）を配置した。ピッチはＬＥＤ群１４に近い側では５ｍｍピッチとし、中空セルの中心部分では５０μｍピッチとなるように、連絡的にピッチを変更するように構成した。第１のＬＥＤ群１２から放射された光１００が、このようなＶ字状の溝１０２に入射すると、入射光が第１中空複層体１０の発光面側に向けて出射される。このようにして、第１中空複層体１０の表面全体に設けられたＶ字状の溝によって、第１のＬＥＤ群１２から放射された光が、中空複層体１０の発光面側に出射される。なお、第１中空複層体１０について言えば、第２のＬＥＤ群１４から放射される光についても同様に、第１中空複層体１０の表面全体に設けられたＶ字状の溝によって、第１中空複層体１０の発光面側に出射される。また、第１のＬＥＤ群１２から放射された光は、主に各ＬＥＤが挿入された１つの中空セル１１１の発光面側の長手方向全体から出射するが、第１中空複層体１０のリブ１１４が透明な場合には、隣接する中空セルへ向かってすこしずつ拡散して行く。
【００３３】
図２の例では、中空セル１１１の両側にＬＥＤ群を設けたが、一方にのみＬＥＤ群を設けても良い。その場合、ＬＥＤ群を設けていない端面には、反射シートを配置することが好ましい。
【００３４】
また、上述した例では、第１中空複層体１０の発光面側の表面全体に、光偏向手段の一例として中空セルの長手方向と垂直な方向Ｘで複数のＶ字状の溝を設けた。しかしながら、Ｖ字状の溝を設ける方向は、必ずしも、中空セルの長手方向と垂直な方向Ｘに限らず、中空セルの長手方向と平行な方向Ｙや中空セルの長手方向と３５〜５５度の角度を持って、好ましくは４５度の角度を持って傾いている方向Ｚ等の方向に沿って設けても良い（図５参照）。
【００３５】
さらに、上述した例では、深さ３μｍ、幅２０μｍ、ピッチ５ｍｍ〜５０μｍのＶ字状の溝を設けたが、Ｖ字状の溝の形状やピッチはこの値に限定されるものではなく、適宜他の最適な値を取ることが可能である。しかしながら、Ｖ字状の溝の深さは３〜６μｍが好ましく、幅は２０〜４０μｍが好ましい。さらに、ピッチについても、中空セル１１１の長手方向全体に渡って同じピッチとしても良い。
【００３６】
また、光偏向手段として、上述したＶ字状の溝以外にも、中空複層体の発光面側に設けたＵ字状の溝や、レーザによって刻印されたドット形状等であっても良い。さらに、Ｖ字状の溝、Ｕ字状の溝及びドット形状等は、中空複層体１０の発光面側だけでなく、裏側に設けることもできる。
【００３７】
また、光偏向手段として、第１中空複層体１０の発光面側の表面に設けられたランダムな凹凸形状であっても良い。ランダムな凹凸形状は、サンドブラスト処理によって中空複層体の表面を荒らすことによって、熱プレス板で表面に凹凸形状を刻印することによって形成することが可能である。また、凹凸は、Ｒｚ（ＪＩＳ  ２００１−Ｂ０６０１）が０．０４μｍ以上、中空複層体の厚さｃの２／３以下であることが好ましい。０．０４μｍ未満であると可視光の散乱性や出光特性が十分に発揮できなくなり、中空複層体の厚さｃの２／３より大きいと光源からの光を遮って、光を中空セルの中央部まで導光することができなくなるからである。また、ランダムな凹凸形状は、第１中空複層体１０の裏側に設けても良い。
【００３８】
また、光偏向手段としては、第１中空複層体１０に添加された拡散材であっても良い。添加される拡散材としては、ガラス、シリカ、マイカ、合成マイカ、炭酸カルシウム、硫酸バリウム、タルク、モンモリロナイト、カオリンクレー、ベントナイト、ヘクトライト等の無機粒子、酸化チタン、酸化亜鉛、酸化錫、アルミナ等の金属酸化物粒子、アクリルビーズ、スチレンビーズ、ベンゾグアナミン、シリコーン等の有機ポリマー粒子を用いることができる。例えば、第１中空複層体１０をＰＣ樹脂で形成した場合、ＰＣ樹脂１００部に対して、拡散材として平均粒径２μｍのシリコーンを０．０５部添加した場合のヘーズ率は６７．３％、同シリコーンを０．１部添加した場合のヘーズ率は８３％、同シリコーンを０．５部添加した場合のヘーズ率は９３％となる。なお、拡散材を添加した場合のヘーズ率は、１０％以上９９％以下であることが好ましい。１０％未満であると光の散乱効果が十分ではなく、９９％以上であると出光特性が悪化し、光量が極めて低くなってしまうからである。
【００３９】
また、光偏向手段として、第１中空複層体１０の中空セル１１１内に配置した導光体２００を用いることもできる。以下、第１中空複層体１０について説明するが、第２及び第３中空複層体２０、３０についても同様である。
【００４０】
図６に、導光体２００を用いた面発光装置付き椅子２の例を示す。
【００４１】
面発光装置付き椅子２は、導光体２００が第１、第２及び第３中空複層体１０，２０、３０の各中空セル１１１内に挿入されている点、及び第１、第２及び第３中空複層体１０，２０、３０の各発光面側にＶ字状の溝が形成されていない点以外は、前述した面発光装置付き椅子１と同様な構成であるので、その他の構成については説明を省略する。
【００４２】
図６に示す面発光装置付き椅子２では、第１のＬＥＤ群１２から放射された光１１０の多くは、導光体２００内を全反射しながら反対側に配置された第２のＬＥＤ群１４に向かって進んで行く（例えば、光１１１）。しかしながら、導光体２００の発光面側（保護プレート４０側）に配置される側面全体に、導光体の長手方向と垂直な方向ＸにＶ字状の溝（深さ３μｍ、幅２０μｍ、ピッチ５ｍｍ〜５０μｍ）が設けられている。ピッチはＬＥＤ群１４に近い側では５ｍｍピッチとし、中空セルの中心部分では５０μｍピッチとなるように、連絡的にピッチを変更するように構成した。第１のＬＥＤ群１２から放射された光１１０が、このようなＶ字状の溝１１２に入射すると、導光体２００の前面側に向けて出射されることとなる。このようにして、各導光体２００の前面側に設けられたＶ字状の溝によって、第１のＬＥＤ群１２から放出された光が、第１中空複層体１０の前面側全体に出射される。なお、第１中空複層体１０について言えば、第２のＬＥＤ群１４から放射される光についても同様に、各導光体２００に設けられたＶ字状の溝によって、第１中空複層体１０の発光面側に出射される。第１のＬＥＤ群１２及び第２のＬＥＤ群１４から放射された光は、主にそれぞれが挿入された１つの中空セル１１１内の導光体２００の発光面側の長手方向全体から出射するが、第１中空複層体１０のリブ１１４が透明な場合には、隣接する中空セルへもすこしずつ拡散して行く。
【００４３】
図７に、図６に示す面発光装置付き椅子２に用いられる導光体２００の一例を示す。
【００４４】
図７に示すように、導光体２００は、中空セル１１１内に挿入できるように、縦ａ７４０ｍｍ、横ｂ５ｍｍ、幅（高さ）ｃ５ｍｍのＭＭＡ（メチル・メタ・アクリレート）樹脂で構成されている。なお、導光体２００も、中空複層体１０と同様に、ＰＭＭＡ樹脂、ＭＳ樹脂、ＰＣ樹脂、ＰＥＴ等のポリエステル樹脂、ＰＳｔ樹脂、ＣＯＰ樹脂、ＣＯＣ樹脂、ＰＰ樹脂やＰＥ樹脂当のオレフィン樹脂、ＰＶＣ樹脂、アイオノマー樹脂、ガラス等によって構成しても良い。
【００４５】
また、上述した例では、第１中空複層体１０の発光面側に配置される導光体２００の側面に長手方向と垂直な方向ＸにＶ字状の溝を設けた例を示したが、Ｖ字状の溝を設ける方向は、必ずしも、導光体２００の長手方向と垂直な方向Ｘに限らず、導光体２００の長手方向と平行な方向Ｙや導光体２００の長手方向と３５〜５５度の角度を持って、好ましくは４５度の角度を持って傾いている方向Ｚ等の方向に沿って設けても良い。さらに、上述した例では、深さ３μｍ、幅２０μｍのＶ字状の溝１０２をピッチ５ｍｍ〜５０μｍで設けたが、Ｖ字状の溝の形状やピッチはこの値に限定されるものではなく、適宜他の最適な値を取ることが可能である。
【００４６】
また、上述した例では、導光体２００にＶ字状の溝を構成したが、Ｖ字状の溝の代わりに、Ｕ字状の溝、ドット形状又はランダムな凹凸形状を設けても良い。さらに、Ｖ字状の溝、Ｕ字状の溝、ドット形状及びランダムな凹凸形状等は、導光体２００の発光側面でなく、裏側の反出射側面に設けることもできるし、両方の側面に設けることもできる。
【００４７】
さらに、導光体２００にＶ字状の溝、Ｕ字状の溝、ドット形状及びランダムな凹凸形状を設ける代わりに、導光体２００に拡散材を添加しても良い。添加される拡散材としては、ガラス、シリカ、マイカ、合成マイカ、炭酸カルシウム、硫酸バリウム、タルク、モンモリロナイト、カオリンクレー、ベントナイト、ヘクトライト等の無機粒子、酸化チタン、酸化亜鉛、酸化錫、アルミナ等の金属酸化物粒子、アクリルビーズ、スチレンビーズ、ベンゾグアナミン、シリコーン等の有機ポリマー粒子を用いることができる。
【００４８】
また、光偏向手段として、第１中空複層体１０の中空セル１１１内に配置した光拡散材を用いることもできる。以下、第１中空複層体１０について説明するが、第２及び第３中空複層体２０、３０についても同様である。
【００４９】
図８に、光拡散材３００を用いた面発光装置付き椅子３の例を示す。
【００５０】
面発光装置付き椅子３は、光拡散材３００が第１、第２及び第３中空複層体１０、２０、３０の各中空セル１１１内に挿入されている点、及び第１、第２及び第３中空複層体１０、２０、３０の発光面側にＶ字状の溝は形成されていない点以外は、前述した面発光装置付き椅子１と同様な構成であるので、その他の構成については説明を省略する。
【００５１】
図８に示す面発光装置付き椅子３では、第１のＬＥＤ群１２から放射された光１２０は、中空セル１１１内に配置された、光拡散材３００により反射されて、ランダムに第１中空複層体１０の前面側（出射側）から出射される。
【００５２】
光拡散材３００としては、反射率の高い金属、酸化チタン含有の極細繊維、ＰＥＴ系不織布、反射率の高いテープ、光学的に透明な樹脂に拡散材を添加した粒子等を用いることができる。
【００５３】
このように、第１、第２及び第３中空複層体１０、２０、３０に光学偏向手段を作用させることによって、ＬＥＤから放射される光により、意匠性、デザイン性に優れた面発光装置付き家具を実現することが可能となった。本発明に係る面発光装置付き家具では、中空複層体を利用していることから、ＬＥＤからの光を効率良く導光及び拡散することによって、軽量な面発光体が簡易な構成で提供することが可能となった。また、中空複層体は、複数の中空セルから構成されていることから、各中空セルに対応した光源を設けた場合には、中空セル毎に異なった色及びタイミングによって発光させることができるようになり、任意の色で発光する椅子等の家具を構成することが可能となった。
【００５４】
上記では、光偏向手段を中空複層体に設けた例（図２参照）、導光体に設けた例（図６参照）、光偏向手段として光拡散材を設けた例（図８参照）について説明した。しかしながら、それらの３つの方法を適宜組み合わせて利用することも可能である。
【００５５】
図９は、２組のＬＥＤ群のみで３つの中空複層体を発光させるための接合部例を示す図である。
【００５６】
上述した面発光装置付き椅子１〜３では、中空複層体と中空複層体の両端部に配置された２組のＬＥＤ群から構成される面発光装置を３組有している。しかしながら、第１のＬＥＤ群１２及び／又は第６のＬＥＤ群３３のみによって、３つの中空複層体１０、２０及び３０を発光させることについて以下に説明する。
【００５７】
図９に示すように、第１中空複層体１０と第２中空複層体２０との間に、接続部５００を配置する。接続部５００は、反射ミラー５１０を有しており、中空複層体１０の各中空セル１１１から出射する光（中空複層体１０の発光面から出射しなかった残りの光）を９０度の向きに反射し、第２中空複層体２０の各中空セルに入射させることができる。なお、反射ミラーの代りに全反射を利用したプリズムを用いることもできる。同様に、第３中空複層体３０と第２中空複層体２０との間にも図９に示すような接合部５００を配置すれば、第１のＬＥＤ群１２と第６のＬＥＤ群３３のみによって、３つの中空複層体１０、２０及び３０を発光させることができる。さらに、第１のＬＥＤ群１２と第６のＬＥＤ群３３の何れか一方のみによっても、３つの中空複層体１０、２０及び３０を発光させることが可能である。
【００５８】
図１０は、２組のＬＥＤ群のみで３つの中空複層体を発光させるための他の接合部を示す図である。
【００５９】
図１０では、図９における反射ミラーの代わりに、光ファイバー束６００を利用して、第１中空複層体１０の各中空セル１１１から出射する光を９０度向きを変えて、第２中空複層体２０の各中空セルに入射するように構成した。光ファイバー束６００を、第２中空複層体２０と第３中空複層体３０との間にも配置すれば、第１のＬＥＤ群１２と第６のＬＥＤ群のみによって、３つの中空複層体１０、２０及び３０を発光させることができる。さらに、第１のＬＥＤ群１２と第６のＬＥＤ群の何れか一方のみによっても、３つの中空複層体１０、２０及び３０を発光させることが可能である。
【００６０】
以上、本発明を、面発光装置付き椅子を用いて説明したが、本発明に係る面発光装置が軽量且つ簡易な構成である利点を生かし、椅子以外の多くの屋内、屋外用の家具に本発明を利用することができる。
【図面の簡単な説明】
【００６１】
【図１】本発明に係る面発光装置付き椅子の斜視図である。
【図２】図１に示す面発光装置付き椅子の断面図である。
【図３】面発光装置付き椅子に用いられる光源の概略構成を示す図である。
【図４】中空複層体の斜視図である。
【図５】中空複層体に設けられる溝の方向を示す図である。
【図６】他の面発光装置付き椅子の断面図である。
【図７】導光体の概略構成を示す図である。
【図８】更に他の面発光装置付き椅子の断面図である。
【図９】面発光装置付き椅子に用いられる接合部の断面図である。
【図１０】面発光装置付き椅子に用いられる他の接合部の断面図である。
【符号の説明】
【００６２】
１、２、３    面発光装置付き椅子
１０    第１中空複層体
２０    第２中空複層体
３０    第３中空複層体
４０    保護プレート
５０    基部
６０    支持体
１１１    中空セル
１１２    天板
１１３    底板
１１４    リブ
１２、１４、２２、２４、３２、３４    ＬＥＤ群
１０２、１１２    Ｖ字状溝
２００    導光体
３００    光拡散材
５００    接合部
６００    光ファイバー束
【図１】
2007123109.tif 000003
【図２】
2007123109.tif 000004
【図３】
2007123109.tif 000005
【図４】
2007123109.tif 000006
【図５】
2007123109.tif 000007
【図６】
2007123109.tif 000008
【図７】
2007123109.tif 000009
【図８】
2007123109.tif 000010
【図９】
2007123109.tif 000011
【図１０】
2007123109.tif 000012